(57)【要約】【課題】    簡単な構造にでき、かつ部品点数の削減を図ることができる開放補助機構付き引手、およびサッシ窓を提供すること。【解決手段】障子の戸先框８Ａに固定された固定部１１と、この固定部１１に対して障子の開閉方向にスライド自在に取り付けられた操作部１２と、固定部１１に軸支されるとともに、一端が操作部１２に回動自在に連結され、操作部１２のスライドに伴って回動して、他端が縦枠に向かって突出する回動部１３とを備えた引手１０によれば、操作部１２をスライドさせることで、回動部１３の他端である当接部１３２が縦枠に当接し、障子が縦枠から離れる方向に付勢され、障子の開放操作が補助される。従って、固定部１１、操作部１２、および回動部１３を備えただけの簡単な構造により、開放補助機構付き引手１０が構成され、部品点数の削減を図ることができる。【選択図】  図４
2005097933.tif 000002
【特許請求の範囲】
【請求項１】
引違い窓または片引き窓における障子の戸先框に設けられた固定部と、この固定部に対して前記障子の開閉方向にスライド自在に取り付けられた操作部と、前記固定部に軸支されるとともに、一端が前記操作部に回動自在に連結され、当該操作部のスライドに伴って回動する回動部とを備え、
前記障子を閉じた状態において、前記戸先框が当接した前記引違い窓または片引き窓の縦枠から離れる方向に前記操作部をスライドさせることで、回動した前記回動部の他端が前記縦枠に向かって突出するとともに、当該縦枠に当接し、前記障子を前記縦枠から離れる方向に付勢する開放補助機構付き引手。
【請求項２】
前記回動部を一対備え、これら一対の回動部の各他端が上下に離隔した２箇所で前記縦枠に当接する請求項１に記載の開放補助機構付き引手。
【請求項３】
前記操作部は、スライド時において当該操作部が傾くことを防止する平行維持手段を介して前記固定部に取り付けられている請求項１または請求項２に記載の開放補助機構付き引手。
【請求項４】
前記平行維持手段は、前記固定部および操作部の各々に両端が回動自在に連結されるとともに、前記回動部に中間位置が回動自在に連結されたリンク部を備えて構成されている請求項３に記載の開放補助機構付き引手。
【請求項５】
上枠、下枠、および左右の縦枠を有する窓枠と、この窓枠の内側に開閉自在に支持された引違い形式または片引き形式の障子と、この障子の戸先框に設けられた請求項１から請求項４のいずれかに記載の開放補助機構付き引手とを備えたサッシ窓であって、
前記障子を閉じた状態において、前記戸先框が当接した縦枠から離れる方向に前記引手の操作部をスライドさせることで、前記引手の回動部が回動して、当該回動部の他端が前記縦枠に向かって突出するとともに、当該縦枠に当接し、前記障子が前記縦枠から離れる方向に付勢されるサッシ窓。
【発明の詳細な説明】
【技術分野】
【０００１】
本発明は、開放補助機構付き引手、およびサッシ窓に関する。
【背景技術】
【０００２】
引違い窓や片引き窓等のサッシ窓において、障子を開放する際の引手の操作に連動して、障子の戸先框から縦枠に向かって突出したトリガーが縦枠を押し、障子の開放操作を補助する開放補助機構が提案されている（例えば、特許文献１参照）。
特許文献１に記載された開放補助機構では、引手に固定された棒状体が、戸先框内部のハウジング内に軸支された揺動体の長孔に挿通されており、引手操作により揺動体が回動するようになっている。そして、揺動体には、その回動に伴って上下動自在に磁石が連結され、この磁石と対向してトリガーにも磁石が取り付けられており、これらの磁石が吸着、または反発することでトリガーが突没するように構成されている。従って、障子の開放方向に引手をスライドさせることで、揺動体に連結された磁石が上下移動し、この磁石にトリガーの磁石が反発し、戸先框から突出したトリガーが縦枠を蹴り出すことによって、障子の開放操作が補助されるようになっている。
【０００３】
また、特許文献１の開放補助機構における他の実施形態では、引手に固定された棒状体が、戸先框内部のハウジング内に設けられた第１ラックに連結されており、この第１ラックがハウジング内に軸支されたピニオンに噛合されている。そして、ピニオンには、第２ラックが噛合されており、この第２ラックに固定されたトリガーがピニオンの回転により戸先框から突没するように構成されている。従って、他の実施形態においても、障子の開放方向に引手をスライドさせることで、第１ラック、ピニオン、および第２ラックを介して、戸先框から突出したトリガーが縦枠を蹴り出すことによって、障子の開放操作が補助されるようになっている。
【０００４】
【特許文献１】特開平１０−１８４１８５号公報（第３〜第４頁、図７〜図１０）
【発明の開示】
【発明が解決しようとする課題】
【０００５】
しかしながら、前記特許文献１に記載の開放補助機構では、その構造が複雑であるとともに、構成部品が多くなってしまうという問題がある。
【０００６】
本発明の目的は、簡単な構造にでき、かつ部品点数の削減を図ることができる開放補助機構付き引手、およびサッシ窓を提供することにある。
【課題を解決するための手段】
【０００７】
本発明の開放補助機構付き引手は、引違い窓または片引き窓における障子の戸先框に設けられた固定部と、この固定部に対して前記障子の開閉方向にスライド自在に取り付けられた操作部と、前記固定部に軸支されるとともに、一端が前記操作部に回動自在に連結され、当該操作部のスライドに伴って回動する回動部とを備え、前記障子を閉じた状態において、前記戸先框が当接した前記引違い窓または片引き窓の縦枠から離れる方向に前記操作部をスライドさせることで、回動した前記回動部の他端が前記縦枠に向かって突出するとともに、当該縦枠に当接し、前記障子を前記縦枠から離れる方向に付勢することを特徴とする。
【０００８】
ここで、固定部は、戸先框と一体に形成されてもよく、また、戸先框と別体に形成され、ビス止め等により戸先框に固定される部材から構成されてもよい。
【０００９】
このような構成によれば、スライド操作される操作部、戸先框に設けた固定部、これらに回動自在に連結された回動部を備えただけの簡単な構造により、開放補助機構付き引手が構成され、部品点数の削減を図ることができる。
また、固定部を戸先框と一体に形成する、すなわち、戸先框の側面に回動部を軸支するとともに、操作部をスライド自在に設ければ、一層構造を簡単にすることができる。
さらに、固定部を戸先框と別体の部材で形成した場合には、開放補助機構付き引手をユニット化し、このユニット化された引手を障子に取り付けることで、障子の種類や大きさに関わらず、引手を共通化することができる。さらに、引手をユニット化することで、既存のサッシ窓に取り付けることも可能になり、既存の障子を交換することなくサッシ窓に障子の開放補助機能を付加することもできるようになる。
【００１０】
この際、本発明の開放補助機構付き引手では、前記回動部を一対備え、これら一対の回動部の各他端が上下に離隔した２箇所で前記縦枠に当接することが望ましい。
このような構成によれば、一対の回動部の他端が上下に離隔した２箇所で縦枠に当接するので、障子を付勢する付勢力をより安定して作用させることができる。
すなわち、従来の開放補助機構のように１点で縦枠に当接して蹴り出す場合には、この当接点の高さ位置によっては障子に回転モーメントが作用してしまい、スムーズに障子を付勢することが困難となることがあり、当接点の位置を厳密に決定する必要がある。このため、障子の種類や大きさごとに最適な当接点に合わせて、引手の取付位置を算出する必要が生じ、このようにして取り付けた引手の高さ位置が障子ごとに異なってしまうと、外観意匠の統一感が損なわれるばかりでなく、障子の開閉操作に支障を来してしまうという不都合もある。
これに対して、本発明のように上下に離隔した２点で縦枠に当接して蹴り出す場合には、最適な当接点を跨ぐ位置に上下の当接位置を設けることで、上下の当接位置の間隔範囲内で引手の取付高さ位置を適宜設定可能になるので、引手の取付位置の自由度が高くなるとともに、障子の種類や大きさが異なる場合にも引手の高さ位置を統一させて、外観および操作性を良好にさせることができる。
【００１１】
さらに、本発明の開放補助機構付き引手では、前記操作部は、スライド時において当該操作部が傾くことを防止する平行維持手段を介して前記固定部に取り付けられていることが望ましい。
ここで、平行維持手段としては、固定部または操作部の一方に設けた案内レール、および案内レールに係合する他方の係合溝等による組み合わせで構成してもよく、また、固定部と操作部とが互いに凹凸嵌合し、スライド方向にのみ摺動可能な形態を有していてもよい。
このような構成によれば、平行維持手段によりスライド時における操作部の傾きが防止されるので、操作部を障子の開閉方向にスライドさせた力が逃げることなく、障子の開放補助力として回動部から縦枠に伝達され、開閉操作の操作性を良好にすることができる。
【００１２】
また、本発明の開放補助機構付き引手では、前記平行維持手段は、前記固定部および操作部の各々に両端が回動自在に連結されるとともに、前記回動部に中間位置が回動自在に連結されたリンク部を備えて構成されていることが望ましい。
このような構成によれば、リンク部で固定部、操作部、および回動部を連結して、平行リンク機構を構成することで、スライド時における操作部の傾きを防止することができるとともに、リンク部を固定部および操作部間に内蔵すれば、引手の外観意匠性を向上させることができる。
【００１３】
一方、本発明のサッシ窓は、上枠、下枠、および左右の縦枠を有する窓枠と、この窓枠の内側に開閉自在に支持された引違い形式または片引き形式の障子と、この障子の戸先框に設けられた請求項１から請求項４のいずれかに記載の開放補助機構付き引手とを備えたサッシ窓であって、前記障子を閉じた状態において、前記戸先框が当接した縦枠から離れる方向に前記引手の操作部をスライドさせることで、前記引手の回動部が回動して、当該回動部の他端が前記縦枠に向かって突出するとともに、当該縦枠に当接し、前記障子が前記縦枠から離れる方向に付勢されることを特徴とする。
【００１４】
このような構成によれば、前述の開放補助機構付き引手と同様の効果を有するサッシ窓を構成することができる。すなわち、簡単な構造により部品点数の削減が図られた開放補助機構付き引手を備え、この引手により障子の開放操作が補助され、小さな操作力で障子を解放することができるサッシ窓が構成できる。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００１６】
〔第１実施形態〕
本発明の第１実施形態に係るサッシ窓としての引違い窓１、および開放補助機構付き引手１０について、図１ないし図６に基づいて説明する。
図１および図２は、それぞれ本実施形態の引違い窓１を示す室内側から見た正面図、および横断面図である。
なお、本発明のサッシ窓は、引違い窓１に限らず、片引き窓であってもよい。
【００１７】
図１、２において、引違い窓１は、それぞれアルミ押出形材製の上枠２、下枠３、および左右の縦枠４を四周枠組みした窓枠１Ａと、この窓枠１Ａの内側に開閉自在に支持された１組の障子５とを備えて構成されている。障子５は、それぞれアルミ押出形材製の上框６、下框７、左右の縦框８を四周框組みした内部に、ガラスパネル９を嵌め込んで形成されている。１組の障子５は、室内側の障子５Ａと、室外側の障子５Ｂで構成されており、室内外の障子５Ａ，５Ｂ各々の縦框８は、障子５を閉じた状態で縦枠４に当接する戸先框８Ａと、窓枠１Ａの左右方向略中央の召合せ部で互いに重なる召合框８Ｂとから構成されている。
【００１８】
室内側障子５Ａの戸先框８Ａには、縦枠４の側面に形成された突片４Ａの室外側面に当接する気密材８Ｃが設けられており、室内側障子５Ａを閉じた状態で、気密材８Ｃが縦枠４の突片４Ａに密接されて、気密性が確保されるようになっている。
室外側障子５Ｂの戸先框８Ａが当接する縦枠４の側面には、突片４Ｂが形成され、この突片４Ｂの室外側面に気密材４Ｃが設けられている。そして、室外側障子５Ｂを閉じた状態で、その戸先框８Ａの室内側面に縦枠４の気密材４Ｃが密接されて、気密性が確保されるようになっている。
また、室内外の障子５Ａ，５Ｂの召合框８Ｂには、クレセント８Ｄが設けられており、室内側の召合框８Ｂに設けられた回動フックを回動し、室外側の召合框８Ｂに設けられた受けフックに係合させることで、引違い窓１が施錠されるようになっている。
【００１９】
次に、室内外の障子５Ａ，５Ｂの戸先框８Ａに設けられた引手１０について、図３〜図６も参照して説明する。図３、４は、それぞれ引手１０を示す斜視図であり、図４は、引手１０をスライド操作した状態を示す斜視図である。図５は、引手１０を示す一部を省略した正面図、および底面図である。図６は、引手１０を示す一部を省略した分解斜視図である。
【００２０】
引手１０は、全体略角柱状で上下方向に長い長尺部材であり、室内外の障子５Ａ，５Ｂを開閉する際に指を掛けて操作可能に戸先框８Ａの室内側側面に取り付けられている。そして、引手１０は、図１に示すように、召合框８Ｂに設けられたクレセント８Ｄよりも低く、室内外の障子５Ａ，５Ｂを全開した際にクレセント８Ｄと干渉しない高さ位置に設けられている。なお、引手１０は、クレセント８Ｄよりも高い位置でクレセント８Ｄと干渉しない位置に取り付けられていてもよい。
また、図２に示すように、室内外の引手１０に対向する縦枠４の側面には、樹脂製の受け部材４Ｄが取り付けられており、後述する引手１０の当接部１３２が受け部材４Ｄに当接するようになっている。
【００２１】
また、開放した室内側障子５Ａは、下枠３の縦枠４側端部に設けた図示しないクレセントストッパに召合框８Ｂが当接することで、開放動作が規制されており、引手１０が室内側障子５Ａの召合框８Ｂにぶつからないようになっている。また、室外側障子５Ｂを開放した際には、室外側障子５Ｂの召合框８Ｂに取り付けたストッパ８Ｅ（図２）が縦枠４に当接する、あるいは室外側障子５Ｂの召合框８Ｂが下枠３端部に設けた図示しない障子ストッパに当接することで、引手１０が室内側障子５Ａの召合框８Ｂにぶつからないようになっている。さらに、室内外の障子５Ａ，５Ｂを同時に開放した場合であっても、室内側障子５Ａの上框６室内側面に、図１に示すようなストッパ６Ａを取り付けておけば、このストッパ６Ａが引手１０よりも先に室外側障子５Ｂの召合框８Ｂに当接することで、引手１０が召合框８Ｂにぶつからないようにすることができる。
また、引手１０をクレセント８Ｄと略同一高さ位置に設けた場合であっても、ストッパ６Ａの位置を調整することで、引手１０がクレセント８Ｄと干渉しないようにすることが可能である。
【００２２】
引手１０は、図３〜６に示すように、戸先框８Ａにビス止め固定される固定部１１と、この固定部１１の室内側に設けられた操作部１２と、固定部１１に軸支されるとともに、一端が操作部１２に連結された一対の回動部１３と、固定部１１および操作部１２の各々に両端が回動自在に連結されるとともに、回動部１３に中間部分が回動自在に連結された一対のリンク部１４とを備えている。そして、引手１０は、戸先框８Ａとは別体にユニット化されて製作されており、各框６，７，８およびガラスパネル９を組み立てて障子５を形成した後に、戸先框８Ａに取り付け可能になっている。
なお、障子５を組み立てる前の戸先框８Ａに引手１０を取り付け、その後障子５を組み立てるようにしてもよい。
【００２３】
引手１０の固定部１１は、金属製のベース部材１１１（図５、６）と、このベース部材１１１の周囲を覆う樹脂製の外装部材１１２と、固定部１１の室内側を覆う金属製のカバー部材１１３（図４）とを備えて構成されている。そして固定部１１は、ベース部材１１１に設けられたビス孔１１４を介して、戸先框８Ａの室内側面にビス止め固定されている。
また、ベース部材１１１の長手方向略中央の縦枠４側には、回動部１３を軸支するピン１１５（図５、６）を挿通する挿通孔１１６が設けられている。さらに、ベース部材１１１の長手方向両端部の縦枠４側には、一対のリンク部１４の各一端に設けられたピン１４１を挿通し、このピン１４１をベース部材１１１の長手方向に案内する長孔１１７が設けられている。また、固定部１１の外装部材１１２の長手方向両端部には、操作部１２を障子５の開閉方向（図１、２中、左右方向）に案内する案内部１１８が形成されている。
【００２４】
引手１０の操作部１２は、固定部１１の室内側略全体を覆う形状を有した樹脂製の外装部材１２１と、この外装部材１２１の内側に固定部１１に対向して設けられた金属製の板材１２２（図６）とを備えて構成されている。外装部材１２１には、操作時に指を引っ掛けるための凹溝１２３が、長手方向に延びて形成されている。そして、操作部１２は、その外装部材１２１の長手方向両端部が固定部１１の外装部材１１２に形成された案内部１１８に係合し、案内されることで、固定部１１に対して障子５の開放方向にスライド可能になっている。すなわち、固定部１１の案内部１１８、および案内部１１８に係合する操作部１２の外装部材１２１によって、操作部１２の平行維持手段が構成されている。
また、板材１２２の長手方向両端部には、一対の回動部１３の各一端に設けられたピン１３１を挿通し、このピン１３１を操作部１２の長手方向に案内する長孔１２４（図５、６）が設けられている。さらに、板材１２２の長手方向略中央には、一対のリンク部１４の各他端を軸支する挿通孔１２５が設けられている。
【００２５】
引手１０の一対の回動部１３は、それぞれ金属製の板材から長尺状に形成され、固定部１１に軸支されるピン１１５の位置で互いに交差して配置されている。すなわち、一対の回動部１３は、障子５の見込み方向に沿った回動軸であるピン１１５を中心に回動可能に構成されている。回動部１３の一端には、操作部１２の板材１２２に形成された長孔１２４に挿通されるピン１３１が操作部１２側に突出して設けられている。そして、一対の回動部１３の各他端側は、ピン１１５の位置を挟んで一端側と反対側に延出して形成されており、これらの他端には、樹脂製の当接部１３２が取り付けられている。この当接部１３２は、回動部１３の固定部１１側の面に突出して取り付けられ、この突出方向に沿った回転軸を中心に回転可能に設けられている。そして、当接部１３２と回動部１３の軸支位置であるピン１１５との距離は、ピン１１５と回動部１３の一端であるピン１３１との距離よりも短く形成されている。
また、当接部１３２に隣接した回動部１３の他端側と、固定部１１との間には、付勢手段としてのコイルばね１５が接続されており、回動部１３の他端は、コイルばね１５によって縦枠４から離れる方向（図５中、右方向）、すなわち固定部１１および操作部１２の間に収納される（図３の状態となる）方向に付勢されている。
【００２６】
引手１０の一対のリンク部１４は、それぞれ金属製の板材から形成され、回動部１３の軸支位置であるピン１１５と、回動部１３の一端との略中間位置において、ピン１４２を介して回動部１３に軸支されている。そして、リンク部１４の一端にはピン１４１が固定され、このピン１４１が固定部１１の長孔１１７に挿通されており、リンク部１４の他端は操作部１２の挿通孔１２５に軸支されている。これにより、リンク部１４は、その両端が固定部１１および操作部１２に回動自在に連結されることとなる。以上のように連結された回動部１３およびリンク部１４によって、パンタグラフ状の平行リンク機構が構成され、この平行リンク機構により操作部１２が固定部１１に対して平行を維持した状態でスライド可能になっている。すなわち、互いに連結された回動部１３およびリンク部１４によって、操作部１２の平行維持手段が構成されている。
【００２７】
以上のような引手１０では、障子５が閉じた状態において、操作部１２の凹溝１２３に指を掛けて障子５の開放方向（図４、５に矢印で示す右方向）に操作部１２を引くことで、操作部１２が固定部１１に対してスライド移動するとともに、回動部１３の他端が縦枠４側（図４、５中、左側）に向かって突出するようになっている。そして、一対の当接部１３２が上下に離隔した２箇所で縦枠４（受け部材４Ｄ）に当接し、この当接力により、障子５が開放方向に付勢されて縦枠４から離隔され、障子５の開放操作が補助されるようになっている。
【００２８】
すなわち、操作部１２のスライド移動により、回動部１３の一端が操作部１２とともに障子５の開放方向に移動するとともに、長孔１２４に沿って長手方向中央側に移動し、ピン１１５を中心にして回動した回動部１３の他端が縦枠４に向かって突出する。これと同時に、リンク部１４は、その他端が操作部１２とともに障子５の開放方向に移動し、ピン１４２を中心にして回動した一端が長孔１１７に沿って長手方向中央側に移動することで、操作部１２が固定部１１に対して傾くことが防止されている。
また、ピン１１５を支点とし、回動部１３の一端を力点とし、当接部１３２を作用点とした梃子において、当接部１３２とピン１１５との距離が、ピン１１５と回動部１３の一端との距離よりも短く形成されているため、操作部１２を操作する力と比較して、当接部１３２が縦枠４を蹴り出す大きな蹴り出し力が得られるようになっている。
【００２９】
そして、操作部１２のスライド操作を中止すると、回動部１３の他端側に接続されたコイルばね１５の付勢力により、回動部１３が固定部１１および操作部１２の間に収納されるとともに、操作部１２が固定部１１の室内側を覆う初期位置に戻る。従って、引手１０を縦枠４に向かって引いて障子５を閉じる際には、回動部１３の当接部１３２が突出していないので、当接部１３２が縦枠４にぶつかることなく、障子５を閉じることができるようになっている。
【００３０】
このような本実施形態によれば、以下のような効果がある。
（１）戸先框８Ａに固定する固定部１１、スライド操作される操作部１２、これらに回動自在に連結された回動部１３を備えた簡単な構造により、開放補助機構付きの引手１０を構成したので、従来の引手のように磁石やラック、ピニオン等の複雑な部品が不要となり、部品点数の削減を図ることができる。
【００３１】
（２）また、引手１０の構造が簡単になることで、引手１０を小型化することができ、室内側への引手１０の突出寸法を小さくすることができる。そして、操作部１２のスライド操作に連動して、回動部１３の当接部１３２で縦枠４を蹴り出す構成としたので、ハンドル等の回動操作に連動させたものと比較して、操作部１２の操作範囲を小さく設定することができ、障子５の引き残しを小さくすることができる。
【００３２】
（３）さらに、引手１０を戸先框８Ａと別体にユニット化したので、障子５の種類や大きさに関わらず、引手１０を共通化することができる。さらに、引手１０をユニット化することで、既存のサッシ窓に取り付けることも可能になり、既存の障子を交換することなくサッシ窓に障子の開放補助機能を付加することもできるようになる。
【００３３】
（４）また、一対の回動部１３の各他端に設けた当接部１３２が上下に離隔した２箇所で縦枠４に当接するので、障子５を付勢する付勢力を安定して作用させることができる。さらに、上下の当接位置間の距離の範囲内で引手１０の戸先框８Ａへの取付位置を適宜設定することで、障子５の種類や大きさが異なる場合にも引手１０の高さ位置を統一させることができ、外観の意匠性を向上させることができる。
【００３４】
（５）さらに、当接部１３２とピン１１５との距離を、ピン１１５と回動部１３の一端との距離よりも短く形成したため、梃子の作用によって、操作部１２を操作する力が小さくても、大きな蹴り出し力で当接部１３２により縦枠４を蹴り出すことができる。
【００３５】
（６）また、固定部１１の案内部１１８、および案内部１１８に係合する操作部１２の外装部材１２１によって、操作部１２の平行維持手段を構成したことで、操作部１２が傾くことなく障子５の開閉方向に案内され、障子５の開閉操作の操作性を良好にすることができる。
【００３６】
（７）さらに、リンク部１４を固定部１１、操作部１２および回動部１３に連結することによっても操作部１２の平行維持手段を構成したので、操作部１２をスライドさせた力が逃げることなく、障子５の開放補助力として回動部１３を介して縦枠４に伝達され、障子５の開閉操作をさらにスムーズに実行することができる。
【００３７】
（８）また、互いに連結された回動部１３およびリンク部１４による平行維持手段によれば、回動部１３およびリンク部１４は非操作時において、操作部１２により覆われて室内側から見えないようになっているので、引手１０の外観意匠性を向上させることができる。
【００３８】
〔第２実施形態〕
次に、本発明の第２実施形態に係る開放補助機構付き引手２０について、図７ないし図１０に基づいて説明する。
図７、８は、それぞれ引手２０を示す斜視図であり、図８は、引手２０をスライド操作した状態を示す斜視図である。図９は、引手２０を示す一部を省略した正面図である。図１０は、引手２０を示す一部を省略した分解斜視図である。
本実施形態の引手２０は、回動部の構成が前述の第１実施形態の引手１０と相違し、それ以外の引手の構成、およびこの引手２０が設けられるサッシ窓の構成は略同様である。以下、相違点について詳しく説明する。
【００３９】
図７〜１０において、引手２０は、前述の第１実施形態と同様に、上下方向に長い長尺部材であって、戸先框８Ａの室内側側面にビス止め固定される固定部２１と、この固定部２１に対してスライド自在に設けられた操作部２２と、固定部２１に軸支されるとともに、一端が操作部２２に連結された一対の回動部２３とを備えている。
固定部２１の長手方向両端部の縦枠４側には、回動部２３を軸支するピン２１５（図９、１０）が設けられている。そして、操作部２２は、外装部材２２１と、金属製の板材２２２とを備え、板材２２２には、一対の回動部２３の一端を連結するピン２３１が挿通され、このピン２３１を操作部２２の長手方向に案内する長孔２２４（図９、１０）が設けられている。
【００４０】
引手２０の一対の回動部２３は、それぞれ金属製の板材から略矩形状に形成され、挿通孔２３３が固定部２１のピン２１５に軸支され、障子５の見込み方向に沿った回動軸であるピン２１５を中心として回動可能に配置されている。回動部２３の一端には、挿通孔２３１Ａが設けられており、操作部２２の板材１２２に形成した長孔２２４を挿通したピン２３１が挿通孔２３１Ａに連結されることで、回動部２３の一端が操作部２２に連結されている。そして、一対の回動部２３における挿通孔２３３を挟んだ他端には、樹脂製の当接部２３２が取り付けられている。この当接部２３２と回動部２３の軸支位置である挿通孔２３３との距離は、挿通孔２３３と回動部２３の一端である挿通孔２３１Ａとの距離よりも短くなっている。
また、回動部２３と固定部２１との間には、固定部２１に形成された略扇状の溝２１９内に配置された付勢手段としてのコイルばね２５が接続されており、回動部２３は、コイルばね２５によって固定部２１および操作部２２の間に収納される（図７の状態であり、図９に一点鎖線で示す状態となる）方向に付勢されている。
【００４１】
以上のような引手２０では、障子５が閉じた状態において、操作部２２を障子５の開放方向（図８、９に矢印で示す右方向）に引くことで、操作部２２が固定部２１に対してスライド移動するとともに、回動部２３の他端が縦枠４側（図８、９中、左側）に向かって突出するようになっている。そして、一対の当接部２３２が上下に離隔した２箇所で縦枠４（受け部材４Ｄ）に当接し、この当接力により、障子５が開放方向に付勢されて縦枠４から離隔され、障子５の開放操作が補助されるようになっている。
この際、ピン２１５を支点とし、回動部２３の一端を力点とし、当接部２３２を作用点とした梃子において、当接部２３２とピン２１５との距離が、ピン２１５と回動部２３の一端との距離よりも短く形成されているため、操作部２２を操作する力と比較して、当接部２３２が縦枠４を蹴り出す大きな蹴り出し力が得られるようになっている。
【００４２】
そして、操作部２２のスライド操作を中止すると、回動部２３に接続されたコイルばね２５の付勢力により、回動部２３が固定部２１および操作部２２の間に収納されるとともに、操作部２２が固定部２１の室内側を覆う初期位置に戻る。従って、引手２０を縦枠４に向かって引いて障子５を閉じる際には、回動部２３の当接部２３２が突出していないので、当接部２３２が縦枠４にぶつかることなく、障子５を閉じることができるようになっている。
【００４３】
このような本実施形態によれば、前述の（１）〜（５）の効果と略同様の効果を奏する他、以下の効果を得ることができる。
（９）コイルばね２５を固定部２１の溝２１９内に配置したので、操作部２２をスライド操作した際にコイルばね２５が露出せず、外観を良好にすることができるとともに、コイルばね２５へのゴミや埃の付着を防止することができる。
【００４４】
なお、本発明は、前記各実施形態に限定されるものではなく、本発明の目的を達成できる他の構成等を含み、以下に示すような変形等も本発明に含まれる。
例えば、前記実施形態では、引手１０，２０を戸先框８Ａと別体に製作し、障子５の組み立て後に戸先框８Ａに取り付けることとしたが、これに限らず、引手を戸先框８Ａと一体に製作してもよい。すなわち、戸先框８Ａの室内側面に回動部１３，２３を軸支するとともに、操作部１２，２２をスライド自在に設けることで、引手を戸先框８Ａと一体に形成することができる。このようにすれば、引手の構造を一層簡単にすることができる。
【００４５】
また、前記実施形態の引手１０，２０では、一対（２つ）の回動部１３，２３を設けたが、これに限らず、回動部１３，２３を１つにしてもよく、また３つ以上の複数個設けてもよい。
また、前記実施形態では、引手１０，２０の操作部１２，２２および回動部１３，２３が付勢手段であるコイルばね１５，２５で初期位置に戻る方向に付勢されていたが、コイルばね１５，２５を省略することも可能である。
【００４６】
また、前記第１実施形態の引手１０では、一対の回動部１３と、固定部１１および操作部１２とを、一対のリンク部１４で連結し、パンタグラフ状の平行リンク機構を形成して、操作部１２の平行維持手段を構成したが、このような構成以外のリンク機構によって平行維持手段を構成してもよい。また、第１実施形態の引手１０では、リンク部１４で構成される平行維持手段の他に、固定部１１の案内部１１８、および案内部１１８に係合する操作部１２の外装部材１２１によって構成される平行維持手段も設けられていたが、これらの平行維持手段は、いずれか一方のみを設けてもよく、また両方を省略することも可能である。
また、前記第２実施形態の引手２０には、操作部２２の傾きを防止するための平行維持手段が設けられていないが、第１実施形態と同様の平行維持手段を設けてもよい。
【００４７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４８】
【図１】本発明の第１実施形態に係る引違い窓を示す室内側から見た正面図である。
【図２】前記引違い窓を示す横断面図である。
【図３】前記引違い窓に設けられた引手を示す斜視図である。
【図４】前記引手をスライド操作した状態を示す斜視図である。
【図５】前記引手の一部を省略した正面図、および底面図である。
【図６】前記引手の一部を省略した分解斜視図である。
【図７】本発明の第２実施形態に係る引手を示す斜視図である。
【図８】前記引手をスライド操作した状態を示す斜視図である。
【図９】前記引手の一部を省略した正面図である。
【図１０】前記引手の一部を省略した分解斜視図である。
【符号の説明】
【００４９】
１…サッシ窓である引違い窓、１Ａ…窓枠、２…上枠、３…下枠、４…縦枠、５…障子、８Ａ…戸先框、１０，２０…引手、１１，２１…固定部、１２，２２…操作部、１３，２３…回動部、１４…リンク部。
【図１】
2005097933.tif 000003
【図２】
2005097933.tif 000004
【図３】
2005097933.tif 000005
【図４】
2005097933.tif 000006
【図５】
2005097933.tif 000007
【図６】
2005097933.tif 000008
【図７】
2005097933.tif 000009
【図８】
2005097933.tif 000010
【図９】
2005097933.tif 000011
【図１０】
2005097933.tif 000012